(57)【特許請求の範囲】
【請求項１】
携帯用電子・電気機器のアクセサリーにおいて、
裏面に携帯用機器の裏面が装着され、入口に出入口が形成されて一端が開放された移動通路が中央に貫通形成され、底面に着座溝が形成されるベースと、
前記着座溝内に着座され、左右側に締結溝が対向するように繰り返して形成され、入口側が開放されるガイダと、
前記着座溝内に配置され前記締結溝に時計回りまたは反時計回りに回転可能に着座される多角形のスイング板と、前記スイング板に延長形成されて、ヒンジ軸が結合される結合孔が形成される移動片からなる連結ブロックと、
Ｃ字状に形成され、前記連結ブロックに固定するために、前記ヒンジ軸が結合される取っ手と、
前記ベースから前記連結ブロックの離脱を防止するために、前記ベースの着座溝に装着されるカバーと、を備え、
前記連結ブロックは、前記スイング板と前記移動片の間が前記ベースの移動通路によって挟持され、前記移動通路に沿って移動可能であることを特徴とする、携帯用電子・電気機器のアクセサリー。
【請求項２】
前記ガイダは、
前記スイング板が前記締結溝内で回転されるか、または前記移動通路に沿って移動される場合、前記締結溝が弾性変形され得るように、前記締結溝の外側にスロットが形成されることを特徴とする、請求項１に記載の携帯用電子・電気機器のアクセサリー。
【請求項３】
前記アクセサリーを自撮り棒に装着して使用するために、一端が前記連結ブロックの移動片の結合孔に結合され、他端が前記自撮り棒に回動自在に固定される自撮り棒用ブラケットを備えることを特徴とする、請求項１に記載の携帯用電子・電気機器のアクセサリー。
【請求項４】
前記連結ブロックは、前記出入口を介して前記ベースに着脱可能に結合されることを特徴とする、請求項１に記載の携帯用電子・電気機器のアクセサリー。
【請求項５】
前記アクセサリーをカメラ台座用三脚に装着して使用するために、一端が前記連結ブロックの移動片の結合孔に結合され、他端が前記三脚に角度調節が可能に回動自在に固定されるカメラ台座用ブラケットを備えることを特徴とする、請求項１に記載の携帯用電子・電気機器のアクセサリー。
【請求項６】
前記ベースの裏面に、前記携帯用機器を着脱可能に付着するために、前記ベースの裏面に装着される両面テープを備えることを特徴とする、請求項１〜５のいずれか一項に記載の携帯用電子・電気機器のアクセサリー。
【発明の詳細な説明】
【技術分野】
【０００１】
本発明は、携帯用アクセサリーに関し、特に、携帯電話、ＰＭＰ、ＭＰ３プレーヤー、電子辞書、タブレットＰＣなどの携帯用電子・電気機器（以下、“携帯用機器”と称する）を携帯したり、据え置くための携帯用電子・電気機器のアクセサリーに関する。
【背景技術】
【０００２】
最近になって、携帯電話、ＰＭＰなどのような携帯用機器をユーザーが容易に携帯できるように様々な種類のアクセサリーが開発されている。一例として、携帯用機器の一側にストラップ（ｓｔｒａｐ）状のアクセサリーが備えられて携帯を便利にすることができる。
【０００３】
一般的に、前記携帯用機器は、手で把持して使用するようになる一方で、長時間に動画を視聴したり、場合によっては、テーブルなどの底面に据え置きして使用することができる。前記ストラップ状のアクセサリーは、携帯用機器を便利に携帯できるようにするが、携帯用機器をテーブルなどの底面に据え置く際には、利用し難い。
【０００４】
これにより、前記携帯用機器をテーブルなどの底面に据え置くためには、別のアクセサリー（一例として、専用据え置き台をいう）を使用すべきという問題点を持つ。
【０００５】
大韓民国特許出願番号第１０−２０１３−００４０５５４号に携帯用機器のアクセサリーが開示されている。（特許文献１）
【先行技術文献】
【特許文献】
【０００６】
【特許文献１】大韓民国特許出願番号第１０−２０１３−００４０５５４号
【発明の概要】
【発明が解決しようとする課題】
【０００７】
本発明の実施例は、携帯用機器に装着されるアクセサリーの構造簡単化によってこれを組立する作業性を向上させ、大量生産によって原価費用を節減することができるようにした携帯用電子・電気機器のアクセサリーと関連している。
【０００８】
本発明の実施例は、携帯用機器をアクセサリーによって様々な角度に回転させることができるので、携帯用機器を容易に携帯したり、視聴できるようにした携帯用電子・電気機器のアクセサリーと関連している。
【０００９】
本発明の実施例は、アクセサリーを自撮り棒またはカメラ台座用三脚に装着して使用できるようにした携帯用電子・電気機器のアクセサリーと関連している。
【課題を解決するための手段】
【００１０】
前記及びその他の本発明の目的を達成するために、本発明の一実施例によると、
携帯用電子・電気機器のアクセサリーにおいて、
裏面に携帯用機器の裏面が装着され、入口に出入口が形成された移動通路が中央に貫通形成され、底面に着座溝が形成されるベースと、
前記着座溝に着座され、左右側に締結溝が対向するように繰り返して形成され、入口側が開放されるガイダと、
前記締結溝に時計回りまたは反時計回りに回転可能に着座される多角形のスイング板と、前記スイング板に延長形成されて前記移動通路に沿って移動され、ヒンジ軸が結合される結合孔が形成される移動片からなる連結ブロックと、
Ｃ字状に形成され、前記連結ブロックに固定するために、前記ヒンジ軸が結合される取っ手と、
前記ベースから前記連結ブロックの離脱を防止するために、前記ベースの着座溝に装着されるカバーと、を備えることを特徴とする、携帯用電子・電気機器のアクセサリーを提供する。
【発明の効果】
【００１１】
前述したように構成される本発明の実施例は、下記のような利点を持つ。
【００１２】
携帯用機器に装着されるアクセサリーの構造簡単化によってこれをワンタッチ方式で組立することにより（木ねじ、またはリベットなどが不要にされる）、組立する作業時間を短縮して人件費を減らし、製作が容易で、大量生産によって原価費用を節減することができる。
【００１３】
また、携帯用機器をアクセサリーによって様々な角度に回転させることができ、回転された角度を一定に維持することができ、携帯用機器でＤＭＢを視聴する場合、非常に便利なので実用性及び便利性を提供することができる。
【００１４】
また、アクセサリーを自撮り棒またはカメラ台座用三脚に装着して携帯用機器の角度を容易に調整することになるので、様々な用途として使用することができる。
【図面の簡単な説明】
【００１５】
【図１】本発明の一実施例による携帯用電子・電気機器のアクセサリーの斜視図。
【図２】図１に示されたアクセサリーの分離斜視図。
【図３】図１に示されたアクセサリーのスイングされることを説明するための平面図。
【図４】図１に示されたアクセサリーの断面図。
【図５ａ】本発明の一実施例による携帯用電子・電気機器のアクセサリーの使用状態図。
【図５ｂ】本発明の一実施例による携帯用電子・電気機器のアクセサリーの使用状態図。
【図６】本発明の一実施例による携帯用電子・電気機器のアクセサリーの他の使用状態図。
【図７】本発明の一実施例による携帯用電子・電気機器のアクセサリーのさらに他の使用状態図。
【発明を実施するための形態】
【００１６】
以下、添付図面を参照して本発明の好ましい実施例による携帯用電子・電気機器のアクセサリーを詳細に説明することにする。
【実施例】
【００１７】
図１〜図５ａ、図５ｂを参照すると、本発明の一実施例による携帯用電子・電気機器のアクセサリーは、
携帯用電子・電気機器のアクセサリーにおいて、
裏面に携帯用機器１０（携帯電話などをいう）の裏面が装着され、入口に出入口１１が形成された移動通路１２が中央に貫通形成され、底面に着座溝１３が形成されるベース１４と、
前記着座溝１３に着座され、左右側に締結溝１５が対向するように繰り返して形成され、入口側が開放されるガイダ１６と、
前記締結溝１５に時計回りまたは反時計回りに回転可能に着座される多角形のスイング板１７（一例として、五角形、六角形、八角形などをいう）と、前記スイング板１７に延長形成されて前記移動通路１２に沿って移動され、ヒンジ軸２１が結合される結合孔１８が形成される移動片１９からなる連結ブロック２０と、
Ｃ字状に形成され、前記連結ブロック２０に固定するために、前記ヒンジ軸２１が結合される取っ手２２と、
前記ベース１４から前記連結ブロック２０の離脱を防止するために、前記ベース１４の着座溝１３に装着されるカバー２３と、を備える。
【００１８】
前記ガイダ１６は、
前記スイング板１７が前記締結溝１５内で時計回りまたは反時計回りに回転されるか、または前記移動通路１２に沿って移動される場合、前記締結溝１５が弾性変形され得るように、前記締結溝１５の外側にスロット２４が形成されることができる。
【００１９】
前記連結ブロック２０は、前記出入口１１を介して前記ベース１４に着脱可能に結合され得る。
【００２０】
前記ベース１４の裏面に前記携帯用機器１０を着脱可能に付着するために、前記ベース１４の裏面に装着される両面テープ（図示せず）を備えることができる。
【００２１】
図６に示したように、前記アクセサリーＡを自撮り棒Ｂに装着して使用するために、一端が前記連結ブロック２０の移動片１９の結合孔１８に結合され、他端が前記自撮り棒Ｂに回動自在に固定される自撮り棒用ブラケット２５を備えることができる。
【００２２】
図７に示したように、前記アクセサリーＡをカメラ台座用三脚Ｃに装着して使用するために、一端が前記連結ブロック２０の移動片１９の結合孔１８に結合され、他端が前記三脚Ｃに角度調節が可能に回動自在に固定されるカメラ台座用ブラケット２６を備えることができる。
【００２３】
図面のうち、未説明符号２７は、前記ベース１４にカバー２３を装着するために、前記ベース１３の着座溝１３に一体型に突出形成された結合ピン２８に対応するように、前記カバー２３に貫通形成される結合孔である。
【００２４】
前述した構成によれば、前記ベース１４の底面に形成された着座溝１３に前記ガイダ１６を着座させる。
【００２５】
前記着座溝１３に形成された結合ピン２８に、これと対応するように、前記カバー２３に形成された結合孔２７を結合させ、前記ベース１４に前記カバー２３を固定する。
【００２６】
従って、前記ベース１４から前記ガイダ１６の離脱することを防止することができる。
【００２７】
前記ベース１４の移動通路１２の入口に形成された出入口１１を介して前記連結ブロック２０のスイング板１７を結合させた後、前記連結ブロック２０を前記移動通路１２に沿って摺動させることができる。
【００２８】
このとき、多角形（一例として、図では八角形に形成される）に形成された前記スイング板１７は、前記締結溝１５内で時計回りまたは反時計回りに回転可能に着座される。また前記連結ブロック２０の円筒状の移動片１９が前記移動通路１２に沿って移動されることにより、前記締結溝１５のうち、いずれか一つに着座され得る。
【００２９】
前述したように、前記連結ブロック２０を前記移動通路１２に沿って摺動させたり、または前記スイング板１７を前記締結溝１５で時計回りまたは反時計回りに回転させる場合、前記締結溝１５の外側に形成されたスロット２４によって前記締結溝１５をなすリブ２９が弾性変形されるので、前記スイング板１７を移動させたり、回転させることができる。
【００３０】
この際に、前記取っ手２２は、前記ヒンジ軸２１によって０度〜１８０度の範囲内で折りたたまれ得る。
【００３１】
前記取っ手２２に形成された結合孔に挿入される前記ヒンジ軸２１によって、前記連結ブロック２０の移動片１９に形成された結合孔１８に取っ手２２を固定することができる。
【００３２】
従って、前記ベース１４の裏面に装着された両面テープから剥離紙を剥がした後、前記携帯用機器１０の裏面を両面テープに付着させることができる。
【００３３】
図５ａに示したように、地下鉄、または自動車内で、前記携帯用機器１０を携帯したり、または携帯用機器１０を利用してＤＭＢを視聴したり、動画を見る場合、リング状の前記取っ手２２を利用して携帯用機器１０を長い間、安全で堅固に把持することができるようになる。
【００３４】
この際に、前記連結ブロック２０によって前記ベース１４を基準として前記取っ手２２を回転させることにより、前記携帯用機器１０の画面角度を容易に変更することができる。
【００３５】
これを詳細に説明すると、前記取っ手２２によって前記ベース１４の締結溝１５に着座された前記連結ブロック２０のスイング板１７を時計回りまたは反時計回りに回転させることができる。
【００３６】
前述したように、前記締結溝１５内で前記スイング板１７を回転させる場合、前記締結溝１５の外側に形成されたスロット２４によって前記締結溝１５を形成するリブ２９が弾性変形される。これにより、前記スイング板１７を回転させる場合、前記締結溝１５が外部に拡張されることによって、前記スイング板１７を締結溝１４内で容易に所定方向に回転させることができる。
【００３７】
前記スイング板１７を所定角度に回転させる場合、前記リブ２９の弾性復元力によって前記締結溝１５の内側面に前記スイング板１７の外側面が密着されるので、前記締結溝１５内でスイング板１７は、回転されない。
【００３８】
従って、ユーザーが所望の角度で前記携帯用機器１０の画面角度を容易に且つ簡単に調整することができるようになる。
【００３９】
図５ｂに示したように、前記携帯用機器１０を利用してＤＭＢを視聴したり、動画を見る場合、前記取っ手２２を据置台として活用して携帯用機器１０をテーブルなどの被固定面に所定角度に傾くように支持することができる。
【００４０】
これを詳細に説明すると、前記ベース１４に装着された連結ブロック２０の結合孔１８に結合されたヒンジ軸２１を中心に、前記取っ手２２を回動させた後、テーブルの上面に対して前記ベース１４に付着された携帯用機器１０が所定角度で傾くように取っ手２２の一側をテーブルの上面に着座させる。すなわち、前記ヒンジ軸２１の反対方向に取っ手２２に形成された多面体がテーブルの上面に密着されるので、前記取っ手２２の滑ることを防止することができる。
【００４１】
従って、前記取っ手２２を利用して携帯用機器１０を所定角度で傾いた状態を維持することができるようになる。
【００４２】
一方、前記携帯用機器１０をポケットに携帯する場合、前記連結ブロック２０を前記アクセサリーＡから分離することができる。これを詳細に説明すると、前記連結ブロック２０の移動片１９を前記移動通路１２に沿って前記出入口１１側へ移動させることによって、前記カバー２３が装着されたベース１４から前記取っ手２２が結合された前記連結ブロック２０を分離することができる。
【００４３】
これにより、前記ベース１４が裏面に装着された携帯用機器１０をポケットに携帯する場合、前記連結ブロック２０の移動片１９または取っ手２２による干渉されることを防止することができるようになる。
【００４４】
図面には示されなかったが、前記連結ブロック２０の移動片１９に前記ヒンジ軸２１を利用して前記取っ手２２を固定する場合、前記ヒンジ軸２１の外側に別のスリーブ（図示せず）（ｓｌｅｅｖｅ）を結合させた後、前記スリーブを前記移動片１９の結合孔１８に結合させることができる。これにより、前記取っ手２２を繰り返し的に回動させる場合、前記ヒンジ軸２１の摩耗が発生することを防止し、また、移動片１９の結合孔１８とヒンジ軸２１とのタイトな結合力を確保するようになるので、前記取っ手２２の緩みを防止することができる。
【００４５】
ここで、前述した本発明では、好ましい実施例を参照して説明したが、該当技術分野で熟練した当業者は、下記の特許請求の範囲に記載された本発明の技術的な思想及び領域から逸脱しない範囲内で、本発明を様々に修正及び変更できることを理解することができるだろう。
【符号の説明】
【００４６】
１０    携帯用機器
１１    出入口
１２    移動通路
１３    着座溝
１４    ベース
１５    締結溝
１６    ガイダ
１７    スイング板
１８    結合孔
１９    移動片
２０    連結ブロック
２１    ヒンジ軸
２２    取っ手
２３    カバー
２４    スロット（ｓｌｏｔ）
２５    自撮り棒ヨンブラケット
２６    カメラ台座用ブラケット
２７    結合孔
２８    結合ピン
【図１】
0006425105.tif 000002
【図２】
0006425105.tif 000003
【図３】
0006425105.tif 000004
【図４】
0006425105.tif 000005
【図５ａ】
0006425105.tif 000006
【図５ｂ】
0006425105.tif 000007
【図６】
0006425105.tif 000008
【図７】
0006425105.tif 000009